(57)【要約】      （修正有）【課題】コード巻き取り装置を具えた電源アダプターの提供。【解決手段】電源アダプター本体1内に回転盤５、渦巻きバネ４、及び回転盤カバー３が組み合わされて成るコード巻き取り装置を設け、押しボタン６を押すと、巻き取り装置が出力コード３００を電源アダプター本体内に巻き取り、外部に露出した出力コードを電源アダプター内に内蔵できるようにし、これにより、電源アダプターを、携帯、収納及び使用に便利で場所をとらないものとした。【選択図】図２
0003101572.tif 000002
【実用新案登録請求の範囲】
【請求項１】
電源アダプターの本体、中心軸、回転盤カバー、渦巻きバネ、回転盤、押しボタン及びカバーを具え、該本体に凹溝が設けられ、該凹溝の一端に電源プラグがあり、出力コードが本体の一端より凹溝内に進入し、該出力コードの別端に電器用プラグが接続され、カバーがネジで本体の凹溝に固定されている、コード巻き取り装置を具えた電源アダプターにおいて、
本体の凹溝底部が押しボタン係止縁とされて押しボタンの係止に供され、該凹溝内に中心軸が設けられ、該中心軸に回転盤カバー、渦巻きバネ及び回転盤が嵌合され、そのうち回転盤カバーが回転盤と結合されて円形ディスクとされ、その内部に渦巻きバネが収容され、渦巻きバネの一端が回転盤カバーに係止され、出力コードが中心軸より回転盤中心外縁を通り盤縁に巻き付けられ、押しボタンの背部のプッシュブロックが押動されることで、外部に露出した出力コードが本体内に巻回され、プッシュブロックが別辺に向けて押動されると出力コードが係止されるよう形成されたことを特徴とする、コード巻き取り装置を具えた電源アダプター。
【請求項２】
請求項１記載のコード巻き取り装置を具えた電源アダプターにおいて、本体の凹溝底部の押しボタン係止縁が円弧形とされて円弧形の押しボタンの係止に供されることを特徴とする、コード巻き取り装置を具えた電源アダプター。
【請求項３】
請求項１記載のコード巻き取り装置を具えた電源アダプターにおいて、押しボタンの前端に係止ブロックが設けられ、該係止ブロックが出力コードを本体内壁に押しつけて係止することを特徴とする、コード巻き取り装置を具えた電源アダプター。
【考案の詳細な説明】
【技術分野】
【０００１】
本考案はコード巻き取り装置を具えた電源アダプターに係り、特に、巻き取り装置で出力コードを電源アダプター本体内に巻き取り、外部に露出した出力コードを電源アダプター内に内蔵でき、携帯、収納及び使用に便利で場所をとらないようにした電源アダプターに関する。
【背景技術】
【０００２】
一般に周知の電源アダプターは図４に示されるように、本体１００を具え、本体１００の一端にコンセントに挿入して電源と導通させるための電源プラグ２００が設けられ、本体１００の別端に出力コード３００に電器用プラグ４００が設けられ、該電器用プラグ４００は携帯電話のソケット或いはノートブック型コンピュータの電源ソケットに挿入されて電源を補充したり直接電源を供給するのに使用される。
【０００３】
このような電源アダプターの細長い出力コード３００は、本体１００内に巻き取ることができず、このため電源アダプターの使用完了時に、この出力コード３００が外部に露出し、収納に不便でありまた携帯に面倒を生じた。このため一般に使用者はゴムバンド或いはプラスチックの結束具を用いて出力コード３００を折り畳んだ後に結束し、使用時にはゴムバンド或いは結束具より出力コード３００をほどき使用している。しかし出力コード３００を結束しても電源アダプターの使用操作或いは携帯や収納、運送、包装に不便であることに変わりなく、使用者を困らせている。
【考案の開示】
【考案が解決しようとする課題】
【０００４】
本考案の主要な目的は、従来の技術の欠点を解決することにあり、即ち、本考案は一種のコード巻き取り装置を具えた電源アダプターを提供し、それは、電源アダプターの本体内に出力コードを巻き取る設備を設けて、使用者が押しボタンを操作することで、外部に露出した出力コードを本体内に内蔵できるようにし、本体の外観を改変せずに、出力コードを短縮して外部に露出させないようにし、電源アダプターを、携帯或いは収納のいずれにも便利で且つ実用的なものとすることにある。
【０００５】
本考案のもう一つの目的は、一種のコード巻き取り装置を具えた電源アダプターを提供することにあり、それは、出力コードを他の方式で電源アダプター内に収納できるようにして、電源アダプターの全体体積を縮小できるようにしたものとする。
【課題を解決するための手段】
【０００６】
請求項１の考案は、電源アダプターの本体、中心軸、回転盤カバー、渦巻きバネ、回転盤、押しボタン及びカバーを具え、該本体に凹溝が設けられ、該凹溝の一端に電源プラグがあり、出力コードが本体の一端より凹溝内に進入し、該出力コードの別端に電器用プラグが接続され、カバーがネジで本体の凹溝に固定されている、コード巻き取り装置を具えた電源アダプターにおいて、
本体の凹溝底部が押しボタン係止縁とされて押しボタンの係止に供され、該凹溝内に中心軸が設けられ、該中心軸に回転盤カバー、渦巻きバネ及び回転盤が嵌合され、そのうち回転盤カバーが回転盤と結合されて円形ディスクとされ、その内部に渦巻きバネが収容され、渦巻きバネの一端が回転盤カバーに係止され、出力コードが中心軸より回転盤中心外縁を通り盤縁に巻き付けられ、押しボタンの背部のプッシュブロックが押動されることで、外部に露出した出力コードが本体内に巻回され、プッシュブロックが別辺に向けて押動されると出力コードが係止されるよう形成されたことを特徴とする、コード巻き取り装置を具えた電源アダプターとしている。
請求項２の考案は、請求項１記載のコード巻き取り装置を具えた電源アダプターにおいて、本体の凹溝底部の押しボタン係止縁が円弧形とされて円弧形の押しボタンの係止に供されることを特徴とする、コード巻き取り装置を具えた電源アダプターとしている。
請求項３の考案は、請求項１記載のコード巻き取り装置を具えた電源アダプターにおいて、押しボタンの前端に係止ブロックが設けられ、該係止ブロックが出力コードを本体内壁に押しつけて係止することを特徴とする、コード巻き取り装置を具えた電源アダプターとしている。
【考案の効果】
【０００７】
本考案のコード巻き取り装置を具えた電源アダプターは、市販の電源アダプターの欠点を改善し、並びに一般の電気製品の電源線回収の装置について研究し、その原理を現在広く使用されている電源アダプターに運用したものであり、新規性を具えており、且つその技術はその出願前に未公開であり新規性を有している。
【考案を実施するための最良の形態】
【０００８】
図１から図３に示されるように、本考案は、本体１、中心軸２、回転盤カバー３、渦巻きバネ４、回転盤５、押しボタン６及びカバー７が組み合わされてなる。
【０００９】
該本体１は、片側が開口の凹溝１１を具え、凹溝１１の底部が円弧形の押しボタン係止縁１２とされて押しボタン６を係止し（図２）、押しボタン６の背面にプッシュブロック６１が固定され、凹溝１１の上端の本体１に電源プラグ１３が設けられてコンセントに挿入されて電源を導通させるのに供される。出力コード３００の一端に電器用プラグ４００が接続され（図１）、携帯電話のソケット或いはノートブック型コンピュータの電源ソケット内に挿入され、別端は本体１前端より凹溝１１内に進入し、並びに中心軸２、回転盤カバー３、渦巻きバネ４及び回転盤５を通り、回転盤５の中心外側より回転盤５外縁の盤縁に進入している。本体１の凹溝１１内に固定された中心軸２に回転盤カバー３、渦巻きバネ４及び回転盤５の中心が嵌合され、回転盤カバー３と回転盤５は結合されて円形ディスクとされ、その内部に回復可能な渦巻きバネ４が収容され、該渦巻きバネ４の最外端が回転盤カバー３に係止されている。円弧形の押しボタン６が本体１の円弧形の押しボタン係止縁１２に係止された後、最左側のカバー７がネジ８の本体１のネジ孔１４内への固定により本体１に固定され、図１に示される外観を形成する。
【００１０】
図３に示されるように、押しボタン６の背部のプッシュブロック６１が本体１の押しボタン係止縁１２の左側位置にある時、押しボタン６の係止ブロック６２は出力コード３００を係止せず、この時、渦巻きバネ４の回復力により出力コード３００が回転盤５に巻回され、並びに出力コード３００が本体１内に収納される。押しボタン６のプッシュブロック６１が押動されて押しボタン６が右側に移動させられると、押しボタン６の係止ブロック６２が出力コード３００を本体１内壁に押しつけて係止の状況を形成し、これにより出力コード３００が係止されて移動不能となる。電器用プラグ４００により出力コード３００が引き出される時、押しボタン６のプッシュブロック６１を左側に押して押しボタン６も左側に移動させて係止の状況を解除しなければ、出力コード３００を本体１内より引き出すことはできない。ゆえに本考案の電源アダプターは出力コード３００を電源アダプター内に巻き取って携帯、包装、収納に便利な形態とすることができる。
【００１１】
以上は本考案の好ましい実施例であるが、同じ効果を達成する改修が可能であり、例えば、押しボタンを回して出力コードを電器製品に巻き取る装置としたり、或いは一般の電気ポットの電源コードを巻き取る装置とすることができ、ただ外向きに引っ張った電源コードから手を放せば、電源コードが電気ポットに回収されるものとすることができ、電源線を電源アダプターに回収できる装置であれば、いずれも本考案の請求範囲に属するものとする。
【図面の簡単な説明】
【００１２】
【図１】本考案の斜視図である。
【図２】本考案の分解図である。
【図３】本考案の断面図である。
【図４】周知の技術の斜視図である。
【符号の説明】
【００１３】
１  本体
１１  凹溝
１２  押しボタン係止縁
１３  電源プラグ
１４  ネジ孔
２  中心軸
３  回転盤カバー
４  渦巻きバネ
５  回転盤
６  押しボタン
６１  プッシュブロック
６２  係止ブロック
７  カバー
８  ネジ
１００  本体
２００  電源プラグ
３００  出力コード
４００  電器用プラグ
【図１】
0003101572.tif 000003
【図２】
0003101572.tif 000004
【図３】
0003101572.tif 000005
【図４】
0003101572.tif 000006